【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
イオンを検出する方法であって、
イオン検出器によって出力される第１の信号をデジタル化して、対応する複数の第１の信号値を生成することと、
先行期間ｔ１の間の前記第１の信号または前記複数の第１の信号値の中央値または他のパーセント点を決定することによって、前記第１の信号または前記複数の第１の信号値のバックグラウンド・レベルすなわちベースライン・レベルを動的に決定することと、
前記第１の信号または前記複数の第１の信号値から、前記第１の信号または前記複数の第１の信号値の前記バックグラウンド・レベルすなわちベースライン・レベルを動的に減じて、複数の第２の信号値を生成することと、
を備える方法。
【請求項２】
請求項１に記載の方法であって、
前記第１の信号をデジタル化する前記段階は、アナログ−デジタル変換器（ＡＤＣ）を使用して前記第１の信号をデジタル化することを含み、
前記アナログ−デジタル変換器は、
(a)使用時に、(i)＜１ＧＨｚ、(ii)１〜２ＧＨｚ、(iii)２〜３ＧＨｚ、(iv)３〜４ＧＨｚ、(v)４〜５ＧＨｚ、(vi)５〜６ＧＨｚ、(vii)６〜７ＧＨｚ、(viii)７〜８ＧＨｚ、(ix)８〜９ＧＨｚ、(x)９〜１０ＧＨｚ、および(xi)＞１０ＧＨｚからなる群より選択されるデジタル化レートで動作され、なおかつ／あるいは
(b)(i)少なくとも４ビット、(ii)少なくとも５ビット、(iii)少なくとも６ビット、(iv)少なくとも７ビット、(v)少なくとも８ビット、(vi)少なくとも９ビット、(vii)少なくとも１０ビット、(viii)少なくとも１１ビット、(ix)少なくとも１２ビット、(x)少なくとも１３ビット、(xi)少なくとも１４ビット、(xii)少なくとも１５ビット、および(xiii)少なくとも１６ビットからなる群より選択される分解能を含む、方法。
【請求項３】
請求項１または２に記載の方法であって、
前記第１の信号または前記複数の第１の信号値の前記バックグラウンド・レベルすなわちベースライン・レベルを動的に決定する前記段階は、
(a)飛行時間データおよび／または質量スペクトルデータの取得中に、前記バックグラウンド・レベルすなわちベースライン・レベルを動的に決定すること、ならびに／あるいは
(b)一群のイオンによって所定の時間区間に生成される第１の信号について、前記バックグラウンド・レベルすなわちベースライン・レベルを動的に決定することであって、前記所定の時間区間は、前記一群のイオンが加速されて飛行時間型質量分析器の飛行時間領域すなわちドリフト領域に入った後で、前記群内の全てのイオンがイオン検出器に到着するより前の期間である、決定、ならびに／あるいは
(c)一群のイオンに関連する一セットの飛行時間データおよび／または質量スペクトルデータがまだ取得されている間において、かつ、前記一群のイオンに関連する一セットの飛行時間データおよび／または質量スペクトルデータが完全に取得された後の後処理後段階としてではなく、リアルタイムで、前記バックグラウンド・レベルすなわちベースライン・レベルを動的に決定すること、を含む、方法。
【請求項４】
請求項１、２、または３のいずれかに記載の方法であって、
前記第１の信号または前記複数の第１の信号値の中央値または他のパーセント点を決定する前記段階は、前記先行期間ｔ１の間の前記第１の信号または前記複数の第１の信号値のパーセント点を、(i)＜１０％、(ii)１０〜２０％、(iii)２０〜３０％、(iv)３０〜４０％、(v)４０〜５０％、(vi)５０〜６０％、(vii)６０〜７０％、(viii)７０〜８０％、(ix)８０〜９０％、および(x)＞９０％からなる群より選択される範囲内で決定することを含む、方法。
【請求項５】
請求項１ないし４のいずれかに記載の方法であって、
先行期間ｔ１の間の前記第１の信号または前記複数の第１の信号値の中央値または他のパーセント点を決定する前記段階は、前記第１の信号または前記第１の信号値が、前記第１の信号または前記複数の第１の信号値の決定された現行の中央値またはパーセント点より大きいかまたは小さいかを決定することを、さらに含み、
(a)もし前記第１の信号または前記第１の信号値が、前記第１の信号または前記複数の第１の信号値の前記決定された現行の中央値またはパーセント点より大きいならば、前記現行の決定された中央値またはパーセント点に、第１の一定値が加えられ、なおかつ
(b)もし前記第１の信号または前記第１の信号値が、前記第１の信号または前記複数の第１の信号値の前記決定された現行の中央値またはパーセント点より小さいならば、前記現行の決定された中央値またはパーセント点から、第２の一定値が減じられ、
前記第１の一定値は、前記第２の一定値と実質的に同じであるまたは実質的に異なる、方法。
【請求項６】
請求項１ないし５のいずれかに記載の方法であって、
前記第１の信号または前記複数の第１の信号値の前記バックグラウンド・レベルすなわちベースライン・レベルを動的に決定する前記段階は、第１のベースライン値レジスタおよび／または第２のベースライン部分レジスタを提供することを含み、
(a)もし前記第１の信号または前記第１の信号値が、前記第１のベースライン値レジスタに格納されている値より大きいならば、前記第２のベースライン部分レジスタに格納されている値に、整数値が加えられ、なおかつ
(b)もし前記第１の信号または前記第１の信号値が、前記第１のベースライン値レジスタに格納されている値より小さいならば、前記第２のベースライン部分レジスタに格納されている値から、整数値が減じられる、方法。
【請求項７】
請求項１ないし６のいずれかに記載の方法であって、
(a)加速されて飛行時間型質量分析器の飛行時間領域すなわちドリフト領域に入る一群のイオンに対応する一セットの飛行時間データまたは質量スペクトルデータが取得されている間に、期間Ｔにわたって少なくともｘ個の第１の信号値またはデータ値が得られ、
ｘは、(i)＜１０００、(ii)１０００〜５０００、(ii)５０００〜１００００、(iii)１００００〜５００００、(iv)５００００〜１０００００、(v)１０００００〜５０００００、(vi)５０００００〜１００００００、および(vii)＞１００００００からなる群より選択され、なおかつ／あるいは
(b)前記先行期間ｔ１は、ｙ個の第１の信号値またはデータ値が得られる期間に対応し、
ｙは、(i)＜１０、(ii)１０〜５０、(iii)５０〜１００、(iv)１００〜５００、(v)５００〜１０００、(vi)１０００〜５０００、(vii)５０００〜１００００、(viii)１００００〜５００００、および(ix)＞５００００からなる群より選択される、方法。
【請求項８】
請求項１ないし７のいずれかに記載の方法であって、
(a)加速されて飛行時間型質量分析器の飛行時間領域すなわちドリフト領域に入る一群のイオンに対応する一セットの飛行時間データまたは質量スペクトルデータは、(i)＜５００ｎｓ、(ii)５００〜１０００ｎｓ、(iii)１〜５μｓ、(iv)５〜１０μｓ、(v)１０〜５０μｓ、(vi)５０〜１００μｓ、(vii)１００〜５００μｓ、(viii)５００〜１０００μｓ、および(ix)＞１ｍｓからなる群より選択される期間Ｔにわたって取得され、なおかつ／あるいは
(b)前記先行期間ｔ１は、(i)＜５ｎｓ、(ii)５〜１０ｎｓ、(iii)１０〜５０ｎｓ、(iv)５０〜１００ｎｓ、(v)１００〜５００ｎｓ、(vi)５００〜１０００ｎｓ、(vii)１〜５μｓ、(viii)５〜１０μｓ、(ix)１０〜５０μｓ、(x)５０〜１００μｓ、(xi)１００〜５００μｓ、(xii)５００〜１０００μｓ、および(xiii)＞１ｍｓからなる群より選択される、方法。
【請求項９】
請求項７または８に記載の方法であって、
前記先行期間ｔ１の前記期間Ｔに対する割合は、(i)≦５０％、(ii)≦１０％、(iii)≦５％、(iv)≦１、(v)≦０.５％、(vi)≦０.１％、(vii)≦０.０５％、(viii)≦０.０１％、(ix)≦０.００５％、(x)≦０.００１％、(xi)≦０.０００５％、(xii)≦０.０００１％、(xiii)≦０.００００５％、および(xiv)≦０.００００１％からなる群より選択される、方法。
【請求項１０】
請求項１ないし９のいずれかに記載の方法であって、さらに、
前記第２の信号値を閾値と比較することを備え、
(a)もし前記第２の信号値が前記閾値を下回るならば、前記第２の信号値は、ゼロの値を割り当てられるか、または実質的に低減され、なおかつ／あるいは
(b)もし前記第２の信号値が前記閾値を上回るならば、前記第２の信号値は、実質的に変更されない、方法。
【請求項１１】
請求項１０に記載の方法であって、
前記第２の信号値を閾値と比較する前記段階は、
(a)飛行時間データおよび／または質量スペクトルデータの取得中に、前記第２の信号値を前記閾値と動的に比較すること、ならびに／あるいは
(b)前記第２の信号値を前記閾値と動的に比較することであって、
前記前記第２の信号値は、一群のイオンによって所定の時間区間に生成される第１の信号に対応し、
前記所定の時間区間は、前記一群のイオンが加速されて飛行時間型質量分析器の飛行時間領域すなわちドリフト領域に入った後であり、なおかつ前記群内の全てのイオンがイオン検出器に到着するより前の期間である、比較、ならびに／あるいは
(c)一群のイオンに関連する一セットの飛行時間データおよび／または質量スペクトルデータがまだ取得されている間において、かつ、前記一群のイオンに関連する一セットの飛行時間データおよび／または質量スペクトルデータが完全に取得された後の後処理後段階としてではなく、リアルタイムで、前記第２の信号値を前記閾値と動的に比較することを含む、方法。
【請求項１２】
請求項１ないし１１のいずれかに記載の方法を備える質量分析の方法。
【請求項１３】
イオン検出器システムであって、
イオン検出器によって出力される第１の信号を、デジタル化して、対応する複数の第１の信号値を生成するように構成および適応される機器と、
先行期間ｔ１の間の前記第１の信号または前記複数の第１の信号値の中央値または他のパーセント点を決定することによって、前記第１の信号または前記複数の第１の信号値のバックグラウンド・レベルすなわちベースライン・レベルを、動的に決定するように構成および適応される機器と、
前記第１の信号または前記複数の第１の信号値から、前記第１の信号または前記複数の第１の信号値の前記バックグラウンド・レベルすなわちベースライン・レベルを動的に減じて、複数の第２の信号値を生成するように構成および適応される機器と、
を備えるイオン検出器システム。
【請求項１４】
請求項１３に記載のイオン検出器システムをさらに備える質量分析計。
【請求項１５】
請求項１４に記載の質量分析計であって、さらに、
(a)前記イオン検出器システムの上流に配置されるイオン源であって、(i)エレクトロスプレイ・イオン化（「ＥＳＩ」）イオン源、(ii)大気圧光イオン化（「ＡＰＰＩ」）イオン源、(iii)大気圧化学イオン化（「ＡＰＣＩ」）イオン源、(iv)マトリックス支援レーザ脱離イオン化（「ＭＡＬＤＩ」）イオン源、(v)レーザ脱離イオン化（「ＬＤＩ」）イオン源、(vi)大気圧イオン化（「ＡＰＩ」）イオン源、(vii)シリコン上脱離イオン化（「ＤＩＯＳ」）イオン源、(viii)電子衝撃（「ＥＩ」）イオン源、(ix)化学イオン化（「ＣＩ」）イオン源、(x)電界イオン化（「ＦＩ」）イオン源、(xi)電界脱離（「ＦＤ」）イオン源、(xii)誘導結合プラズマ（「ＩＣＰ」）イオン源、(xiii)高速原子衝撃（「ＦＡＢ」）イオン源、(xiv)液体二次イオン質量分析（「ＬＳＩＭＳ」）イオン源、(xv)脱離エレクトロスプレイ・イオン化（「ＤＥＳＩ」）イオン源、(xvi)ニッケル６３放射性イオン源、(xvii)大気圧マトリックス支援レーザ脱離イオン化イオン源、および(xviii)サーモスプレイイオン源からなる群より選択されるイオン源、ならびに／あるいは
(b)前記イオン検出器システムの上流に配置される１つまたは２つ以上のイオンガイド、ならびに／あるいは
(c)前記イオン検出器システムの上流に配置される１つもしくは２つ以上のイオン移動度分離機器、および／または１つもしくは２つ以上の電界非対称イオン移動度分析計機器、ならびに／あるいは
(d)前記イオン検出器システムの上流に配置される１つまたは２つ以上のイオントラップまたはイオン捕捉領域、ならびに／あるいは
(e)前記イオン検出器システムの上流に配置される１つまたは２つ以上の衝突、フラグメンテーション、または反応のセルであって、(i)衝突誘起解離（「ＣＩＤ」）フラグメンテーション機器、(ii)表面誘起解離（「ＳＩＤ」）フラグメンテーション機器、(iii)電子移動解離フラグメンテーション機器、(iv)電子捕獲解離フラグメンテーション機器、(v)電子衝突または電子衝撃解離フラグメンテーション機器、(vi)光誘起解離（「ＰＩＤ」）フラグメンテーション機器、(vii)レーザ誘起解離フラグメンテーション機器、(viii)赤外線放射誘起解離機器、(ix)紫外線放射誘起解離機器、(x)ノズル−スキマ界面フラグメンテーション機器、(xi)インソースフラグメンテーション機器、(xii)イオン源衝突誘起解離フラグメンテーション機器、(xiii)熱源または温度源フラグメンテーション機器、(xiv)電場誘起フラグメンテーション機器、(xv)磁場誘起フラグメンテーション機器、(xvi)酵素消化または酵素分解フラグメンテーション機器、(xvii)イオン−イオン反応フラグメンテーション機器、(xviii)イオン−分子反応フラグメンテーション機器、(xix)イオン−原子反応フラグメンテーション機器、(xx)イオン−準安定イオン反応フラグメンテーション機器、(xxi)イオン−準安定分子反応フラグメンテーション機器、(xxii)イオン−準安定原子反応フラグメンテーション機器、(xxiii)イオンを反応させて付加イオンまたは生成イオンを形成するためのイオン−イオン反応機器、(xxiv)イオンを反応させて付加イオンまたは生成イオンを形成するためのイオン−分子反応機器、(xxv)イオンを反応させて付加イオンまたは生成イオンを形成するためのイオン−原子反応機器、(xxvi)イオンを反応させて付加イオンまたは生成イオンを形成するためのイオン−準安定イオン反応機器、(xxvii)イオンを反応させて付加イオンまたは生成イオンを形成するためのイオン−準安定分子反応機器、および(xxviii)イオンを反応させて付加イオンまたは生成イオンを形成するためのイオン−準安定原子反応機器、からなる群より選択される１つまたは２つ以上の衝突、フラグメンテーション、または反応のセル、ならびに／あるいは
(f)(i)四重極質量分析器、(ii)２Ｄ型または直線型の四重極質量分析器、(iii)Paulによるまたは３Ｄ型の四重極質量分析器、(iv)Penningトラップ質量分析器、(v)イオントラップ質量分析器、(vi)磁場セクタ型質量分析器、(vii)イオンサイクロトロン共鳴（「ＩＣＲ」）質量分析器、(viii)フーリエ変換イオンサイクロトロン共鳴（「ＦＴＩＣＲ」）質量分析器、(ix)静電型質量分析器、(x)フーリエ変換静電型質量分析器、(xi)フーリエ変換質量分析器、(xii)飛行時間型質量分析器、(xiii)直交加速方式飛行時間型質量分析器、および(xiv)線形加速方式飛行時間型質量分析器からなる群より選択される質量分析器、
のいずれかを備える質量分析計。
【請求項１６】
質量分析の方法であって、
先行期間にわたり、イオン検出器から出力される第１の信号の中央値またはその他のパーセント点を、動的に決定することと、
前記中央値またはその他のパーセント点を前記第１の信号から動的に減じて、第２の信号を生成することと、
もし前記第２の信号が閾値を実質的に超えないならば、前記第２の信号に前記閾値を動的に適用し、第２の信号値をゼロに設定することと、
を備える方法。
【請求項１７】
質量分析計であって、
先行期間にわたり、イオン検出器から出力される第１の信号の中央値またはその他のパーセント点を、動的に決定するための機器と、
前記第１の信号から前記中央値またはその他のパーセント点を動的に減じて、第２の信号を生成するための機器と、
もし前記第２の信号が閾値を実質的に超えないならば、前記第２の信号に前記閾値を動的に適用し、第２の信号値をゼロに設定するための機器と、
を備える質量分析計。